(57)【要約】【課題】ダクトに分岐ダクトを構成し、それに設けた空気吹出口から空調空間に空調空気を吹き出す従来の空調空気の吹出方式では、分岐ダクトと風量や風向の調整手段を設けているために、構造が複雑で、重く、コストも高い。【解決手段】そこで本発明では、空気流路４の一面を構成する板体３に形成した開口から内側に吹出用筒体２を突出させて取り付け、この吹出用筒体は空気流路の内側対応部分に傾斜開口部１０を形成した空気吹出口装置を提案している。【選択図】図１
2010255873.tif 000002
【特許請求の範囲】
【請求項１】
空気流路の一面を構成する板体に形成した開口から内側に吹出用筒体を突出させて取り付け、この吹出用筒体は空気流路の内側対応部分に傾斜開口部を形成したことを特徴とする空気吹出口装置。
【請求項２】
吹出用筒体は、空気流路の一面を構成する板体に形成した開口に装着した環状支持体に挿入して、螺合により取り付ける構成とし、環状支持体は、空気流路の内側対応部分にフランジ部を形成すると共に、吹出用筒体は、空気流路の外側対応部分にフランジ部を形成したことを特徴とする空気吹出口装置。
【請求項３】
環状支持体は、２分割していることを特徴とする請求項２に記載の空気吹出口装置。
【請求項４】
環状支持体は、環状の一部に切欠を形成していることを特徴とする請求項２に記載の空気吹出口装置。
【請求項５】
空気流路は段ボール製空調ダクトである請求項１〜４までのいずれか１項に記載の空気吹出口装置。
【発明の詳細な説明】
【技術分野】
【０００１】
本発明は、例えば生産施設や大型店舗等の大空間の空調方式に関し、特にダクト等の空気流路から直接的に空調空気を吹き出すための空気吹出口装置に関するものである。
【背景技術】
【０００２】
生産施設や大型店舗等の大空間の空調方式の一つとして、ダクトに分岐ダクトを構成し、分岐ダクトに設けた空気吹出口から空調空間に空調空気を吹き出して、スポット的に空調する方式が行われている。この場合、空気吹出口にはダンパーや、羽根やシャッター等による風量や風向の調整機構を設けて、設置後に現場にて風量や風向の調整を行っている。
【０００３】
例えば特許文献１では、複数の空気吹出口における風量と風速を均一にするために、ダクト内の吸入管を二重筒構造とし、分配室を設ける等の風量・風速の均一化手段が設けられている。
【先行技術文献】
【特許文献】
【０００４】
【特許文献１】特開平３−１９４３４７号公報
【発明の概要】
【発明が解決しようとする課題】
【０００５】
上述した従来の方式では、分岐ダクトと風量や風向の調整手段を設けているために、構造が複雑で、重く、コストも高い。
【０００６】
本発明はこのような課題を解決することを目的とするものである。
【課題を解決するための手段】
【０００７】
上述した課題を解決するために本発明では、空気流路の一面を構成する板体に形成した開口から内側に吹出用筒体を突出させて取り付け、この吹出用筒体は、空気流路の内側対応部分に傾斜開口部を形成した空気吹出口装置を提案する。
【０００８】
また本発明では、上記の構成において、吹出用筒体は、空気流路の一面を構成する板体に形成した開口に装着した環状支持体に挿入して、螺合により取り付ける構成とし、環状支持体は、空気流路の内側対応部分にフランジ部を形成すると共に、吹出用筒体は、空気流路の外側対応部分にフランジ部を形成した空気吹出口装置を提案する。
【０００９】
また本発明では、上記の構成において、環状支持体を２分割することを提案する。
【００１０】
また本発明では、上記の構成において、環状支持体の環状の一部に切欠を形成することを提案する。
【００１１】
また本発明では、上記の構成において、空気流路は段ボール製空調ダクトとすることを提案する。
【発明の効果】
【００１２】
本発明の空気吹出口装置では、空気流路の一面を構成する板体に形成した開口から内側に吹出用筒体を突出させて取り付けることにより、空気流路を流れている空調空気を吹出用筒体を経て直接に空調空間に吹き出すことができる。
【００１３】
この際、吹出用筒体は、空気流路内に突出している内側対応部分に傾斜開口部を形成しているので、空気流路を流れる空調空気の流れの方向に対して、傾斜開口部の向きを変えることにより、吹出用筒体から吹き出す空調空気の量と向きを調整することができる。
【００１４】
また傾斜開口部が形成されている内側対応部分は、空気流路内に突出しているので、吹出用筒体から吹き出す気流に対しての整流効果を有すると共に、空気流路内の気流に対しては、通風抵抗が増加することにより、空気流路内の静圧分布が均一化されると共に、空気流路の空調空気の流れ方向に沿って吹出用筒体を複数設けた場合の風量分布の均一化を図ることができる。
【００１５】
吹出用筒体は、空気流路の一面を構成する板体に形成した開口に装着した環状支持体に挿入して、螺合により取り付ける構成とすれば、少なくとも吹出用筒体を、空気流路を組み立てた後からの取り付けが可能であり、必要に応じて増設を行うことができる。
【００１６】
そして環状支持体を、２分割したり、隙間を有する切込を形成したものとすれば、開口への環状支持体の装着も、空気流路を組み立てた後からの取り付けが可能となる。
【００１７】
本発明の吹出口装置は、風量や風向調整のために、羽根やシャッター等を用いないので非常に軽量であり、空気流路として、段ボール製ダクトにも良好に適用することができ、段ボールダクトと共に、空気流路の大幅な軽量化を図ることができる。また構造が簡単であり、低コスト化を図ることができる。
【図面の簡単な説明】
【００１８】
【図１】図１は本発明の空気吹出口装置の第１の実施の形態における構成要素の斜視図である。
【図２】図２は図１の構成要素により空気吹出筒体を取り付ける動作を示す説明的断面図である。
【図３】図３は図１の構成要素により空気吹出筒体を取り付けた状態を示す説明的断面図である。
【図４】図４は本発明の空気吹出口装置の第２の実施の形態における構成要素の斜視図である。
【図５】図５は図４の構成要素において環状支持体を装着する動作を示す説明的断面図である。
【図６】図６は本発明の空気吹出口装置の第３の実施の形態における構成要素の斜視図である。
【図７】図７は図６の構成要素において環状支持体を装着する動作を示す説明的断面図である。
【図８】図８は、本発明の空気吹出口装置を用いて構成した空調ダクトの空気吹出部分の一例を示す説明図である。
【図９】図９は、図８における空気吹出筒体の傾斜開口部の向きを変えた場合を示す説明図である。
【発明を実施するための形態】
【００１９】
次に本発明の実施の形態を添付図面を参照して説明する。
まず図１〜図３に示す実施の形態において、符号１は本発明の空気吹出口装置を構成する要素の一つである環状支持体を示し、また２は吹出用筒体を示すものである。また符号３は段ボール製のダクト４等の空気流路の一面を構成する板体であり、この板体３には開口５が形成されている。
【００２０】
吹出用筒体２は環状支持体１に挿入し、螺合により取り付ける構成としており、環状支持体１は、ダクト４の内側対応部分にフランジ部６を形成すると共に、吹出用筒体２は、ダクト４の外側対応部分にフランジ部７を形成している。そして環状支持体１には内周に雌ねじ部８、吹出用筒体２にはフランジ部７側の外周に雄ねじ部９が形成されている。そして吹出用筒体２には、ダクト４の内側対応部分に傾斜開口部１０を形成している。
【００２１】
以上の構成においては、環状支持体１は、ダクト４を組み立てる前に、予め図２に示すように開口５に装着しておく。そしてダクト４を組み立てた後に、環状支持体１に吹出用筒体２を挿入し、雌ねじ部８と雄ねじ部９を螺合すると、図３に示すように環状支持体１のフランジ部６と吹出用筒体２のフランジ部７で板体３を挟持するので、吹出用筒体２の内側対応部分をダクト４内に突出させた状態で支持することができる。
【００２２】
次に、図４、図５に示す実施の形態においては、環状支持体１は２分割した構成である。その他の構成は図１〜図３の実施の形態と同様であるので、対応する要素には同一の符号を付して重複する説明は省略する。
【００２３】
この実施の形態では、図４に示すように、環状支持体１は一対の分割体１ａ，１ｂにより構成しているので、ダクト４を組み立てた後でも、図５に示すように、開口５に分割体１ａ，１ｂを一つずつ挿入して、それらのフランジ部７をダクト４の内側に位置させた後、それらを合わせることにより、環状支持体１を構成でき、それを開口５に装着することができる。
【００２４】
このように開口５に環状支持体１を装着した後、これに吹出用筒体２を挿入して螺合することにより、図３と同様に吹出用筒体２を取り付けることができる。
【００２５】
次に、図６、図７に示す実施の形態においては、環状支持体１は、環状の一部に切欠１１を形成している。その他の構成は図１〜図３の実施の形態と同様であるので、対応する要素には同一の符号を付して重複する説明は省略する。
【００２６】
この実施の形態では、環状支持体１は切欠１１を形成しているので、図７に示すように、切欠１１を板体３の開口５の縁に対応させ、図中環状支持体１を移動させながら、次第に環状支持体１をダクト４内に位置させて行き、次いで環状支持体１を水平方向に倒しながら、図中矢印で示すように旋回させることにより、全体をダクト４内に位置させ、図２と同様に開口５に装着することができる。
【００２７】
そして、このように開口５に環状支持体１を装着した後、これに吹出用筒体２を挿入して螺合することにより、図３と同様に吹出用筒体２を取り付けることができる。
【００２８】
以上説明したように、図１〜図３に示す構成要素の場合には、環状支持体１は、ダクト４を組み立てる前に、予め開口５に装着しておく必要があるが、吹出用筒体２は現場にて取り付け作業を行うことができるので、吹出用筒体２の保護と搬送するダクト４用部材のコンパクト化が可能である。
【００２９】
一方、図４〜図７に示す構成要素の場合には、ダクト４を組み立てた後にも、開口５に装着して、吹出用筒体２を取り付けることができるので、上述した利点の他、ダクト４の設置現場において吹出口の増設を容易に行うことができるという利点がある。
【００３０】
尚、以上のいずれの構成においても、開口５に環状支持体１を装着する際、環状支持体１のフランジ部６と開口５の端縁との間には、例えばフランジ部６にシール材を塗布する等により、適宜のシール材を介装することができる。
【００３１】
次に図８、図９は、本発明の空気吹出口装置を用いて構成した空調ダクトの空気吹出部分の一例を示す説明図であり、複数の吹出用筒体２をダクト４内の空調空気の流れ方向に沿って複数取り付けている。
【００３２】
図８では吹出用筒体２は、傾斜開口部１０の向きを、ダクト４内の空調空気の流れの上流方向に向けており、この場合には、図に示すように、夫々の吹出用筒体２から空調空間に吹き出される空調空気は、ダクト４内の空調空気の流れの向きに対して前方で、斜め下方に吹き出す。一方、図９では、吹出用筒体２は、傾斜開口部１０の向きを、ダクト４内の流れの下流方向に向けており、この場合には、図に示すように、夫々の吹出用筒体２から空調空間に吹き出される空調空気は、ダクト４内の空調空気の流れの向きに関わらず、下方に吹き出される。一方、吹出用筒体２から吹き出される空調空気の量は、図９の場合よりも図８の場合の方が多い。
【００３３】
このことから、吹出用筒体２は、傾斜開口部１０の向きを、ダクト４内の空調空気の流れの方向に対して調節することにより、吹出用筒体２から吹き出す空調空気の量と向きを調整することができる。尚、吹出用筒体２の傾斜開口部１０の向きは、図８、図９に示すように、ダクト４内の空調空気の流れの上流方向又は下流方向に向ける他、その中間の向きに取り付けることも可能である。
【００３４】
以上のことから、吹出用筒体２はダクト４に取り付けた際に、その傾斜開口部１０の向きが所望の状態になるようにすることが必要であり、そのような手段を適宜設けることができる。
【００３５】
例えば、環状支持体１と吹出用筒体２は、９０度回転した螺合により、所定の固定状態となるように雌ねじ部８と雄ねじ部９を構成し、そして環状支持体１と吹出用筒体２に合印を付すことにより、吹出用筒体２をダクト４に取り付けた際に、その傾斜開口部１０の向きが所望の状態になるようにすることができる。
【００３６】
このように本発明においては、吹出用筒体２の傾斜開口部１０の向きを、ダクト４内の空調空気の流れの方向に対して調節することにより、吹出用筒体２から吹き出す空調空気の量と向きを調整することができるのであるが、この他、傾斜開口部１０の傾斜角度を異ならせることにより、その調節範囲を変えることができる。
【００３７】
また本発明では、上述したとおり、傾斜開口部１０が形成されている内側対応部分を、ダクト４等の空気流路内に突出しているので、吹出用筒体２から吹き出す気流に対しての整流効果を有すると共に、空気流路内の気流に対しては、通風抵抗が増加することにより、空気流路内の静圧分布が均一化されると共に、図８、図９に示すように、空気流路の空調空気の流れ方向に沿って吹出用筒体２を複数設けた場合の風量分布の均一化を図ることができ、このような効果は、傾斜開口部１０の傾斜角度を変えたり、空気流路内への吹出用筒体２の内側対応部分の突出長を変えることにより調整することもできる。
【符号の説明】
【００３８】
１            環状支持体
１ａ，１ｂ    分割体
２            吹出用筒体
３            板体
４            空気流路（段ボール製のダクト）
５            開口
６、７        フランジ部
８            雌ねじ部
９            雄ねじ部
１０          傾斜開口部
１１          切欠
【図１】
2010255873.tif 000003
【図２】
2010255873.tif 000004
【図３】
2010255873.tif 000005
【図４】
2010255873.tif 000006
【図５】
2010255873.tif 000007
【図６】
2010255873.tif 000008
【図７】
2010255873.tif 000009
【図８】
2010255873.tif 000010
【図９】
2010255873.tif 000011